(57)【要約】【課題】災害時に避難してきた多くの住民に効率よく飲料物を提供できる湯沸かし器を提供すること。【解決手段】湯沸かし器１は、キャスタ８を有する架台１０と架台１０に支持された給湯器３を備える。架台１０には、給湯器３を支持する給湯器支持部１１と、やかんやバケツ等を収納する物品収納部２０を備え、給湯器支持部１１には、底板（給湯器支持板）１２と回転テーブル支持板１４と回転テーブル１５とを備える。回転テーブル１５の底壁に多数の孔を形成して水切り可能とするとともに、底壁の下面には回転テーブル支持板１４に対して走行可能な車輪を装着する。回転テーブル１５に即席麺のカップを載せて、給湯器３の給湯コック５に向かって順に並べ、注湯後、回転テーブル１５を適宜回転させる。【選択図】図１
0003133254.tif 000002
【実用新案登録請求の範囲】
【請求項１】
移動式災害用湯沸かし器であって、
架台と、前記架台に載設された給湯器と、前記給湯器の下部で前記給湯器を囲うように配置された回転テーブルと、を備え、
前記架台には、前記給湯器を支持する支持板と前記回転テーブルを移動可能に支持する回転テーブル支持板とを備えた給湯器支持部と、前記給湯器支持部の下方に配設される物品収納部と、前記架台を移動可能に配設されるキャスタと、を備え、
前記回転テーブルが円環状に形成されて水切り用孔が多数に形成されていることを特徴とする移動式災害用湯沸かし器。
【請求項２】
前記回転テーブルの上方には、前記架台に支持された粘着テープが配設されていることを特徴とする請求項１記載の移動式災害用湯沸かし器。
【考案の詳細な説明】
【技術分野】
【０００１】
本考案は、災害時に好適に使用できる移動式災害用湯沸かし器に関する。
【背景技術】
【０００２】
一般に、火事や地震等の異常事態が発生した場合、学校や公園を避難場所として設定されていることが多い。この場合、避難してきた住民は緊急であることから、充分な食料や飲み物を持参しているわけではない。そのため、避難場所においては、まず食べ物や飲み物が要求されることとなる。特に飲み物は、調理するためにも必要となることから、まず水を沸かす装置を必要としていた。
【０００３】
従来においては、緊急時に使用するための食材等の防災物資を収納する防災備蓄倉庫が提案されていた（特許文献１）。この防災備蓄倉庫には、ガスボンベや炊飯かまど又は釜あるいは食材等が保管できるようになっており、市販の物置を改造することができて容易に製造することができるようになっていた。
【特許文献１】実用新案登録第３１２１５４０号公報
【考案の開示】
【考案が解決しようとする課題】
【０００４】
しかし、防災備蓄倉庫に湯沸し装置を設置することはできても、防災備蓄倉庫は、どこにでも設置できるわけではなく、そのため防災備蓄倉庫に収納されている備品や防災物資を避難場所に移動して、避難してきた住民に食料や飲み物を供給するまでには、時間を要することとなっていた。また、従来から提供されている湯沸かし器は、一般的に家庭内に固定して設置したものや、電気湯沸かし器等が知られているものの、電源を必要としていたことから、屋外で使用することには好適ではなかった。
【０００５】
そのため、災害時において、避難してきた住民に有効に利用するためには、湯沸かし器が移動できるものであって、電源を使用することなく即座に湯沸かしできるものが求められていた。
【課題を解決するための手段】
【０００６】
本考案は、上述の課題を解決するものであり、災害時に即座に移動して有効に使用できる移動式災害用湯沸かし器を提供することを目的とする。そのために以下のように構成するものである。すなわち、
請求項１記載の考案では、移動式災害用湯沸かし器であって、架台と、前記架台に載設された給湯器と、前記給湯器の下部で前記給湯器を囲うように配置された回転テーブルと、を備え、前記架台には、前記給湯器を支持する支持板と前記回転テーブルを移動可能に支持する回転テーブル支持板とを備えた給湯器支持部と、前記給湯器支持部の下方に配設される物品収納部と、前記架台を移動可能に配設されるキャスタと、を備え、前記回転テーブルが円環状に形成されて水切り用孔が多数に形成されていることを特徴とするものである。
【０００７】
請求項２記載の考案では、前記回転テーブルの上方には、前記架台に支持された粘着テープが配設されていることを特徴としている。
【考案の効果】
【０００８】
本考案に係る移動式災害用湯沸かし器では、キャスタが装着された架台には給湯器が配置されている。架台はキャスタによって、どこにでも移動できることから、災害時に避難場所に即座に移動させることができる。この給湯器は、常時給湯させることができるものを使用することによって、避難してきた住民に即座に使用してもらうことができる。また、回転テーブルに、例えば、即席麺のカップや乳児用の哺乳瓶等を置いて、給湯器からの湯を注ぐことによって、食料とすることができるから緊急時には有効に使用することができる。しかも回転テーブルを有しているから、給湯コックの下方に、例えば、即席麺のカップを置いて、順に並べておけば、即席麺のカップに湯を注いだ後、回転テーブルを回転移動することによって、多くの住民に対して、湯が注がれた即席麺を即座に提供することができる。
【０００９】
また本考案によれば、例えば、即席麺のカップに湯を注いだ後に、設置された粘着テープで、注湯するために開けた蓋を閉じるように貼れば、即席麺を効率よく沸騰させることができる。
【考案を実施するための最良の形態】
【００１０】
次に、本考案の移動式災害用湯沸し器の一形態を図面に基づいて説明する。
【００１１】
実施形態の移動式災害用湯沸かし器(以下、湯沸かし器という)１は、屋外で使用することに好適であり、図１〜２に示すように、下部にキャスタ８を装着した架台１０に給湯器３を載設して構成されている。
【００１２】
架台１０は、上段に給湯器３を支持する給湯器支持部１１が配置され、下段に物品収納部２０を形成している。給湯器支持部１１は、給湯器３を装着する円板状の給湯器支持板（以下、底板という）１２と、底板１２の４箇所から立ち上がる柱部１３に連結された回転テーブル支持板１４とを有している。回転テーブル支持板１４は、図３に示すように、底壁１４１と底壁１４１から立ち上がる内壁１４２及び外壁１４３を有する断面凹状に形成されて給湯器３の周りを囲うように円環状に形成されている。回転テーブル支持板１４内には回転テーブル１５が回転移動可能に配置されている。
【００１３】
回転テーブル１５は、底壁１５１と底壁１５１から立ち上がる内壁１５２及び外壁１５３を有する断面凹状に形成されている。そして回転テーブル支持板１４内に挿入できるように円環状に形成されている。底壁１５１は、水切り用の孔１５１ａを多数に形成して、回転テーブル１５上に落下した水を下方に落とすことによって水切り可能にしている。さらに、底壁１５１の下面には、複数個の車輪１５４を装着して、回転テーブル支持板１４の底壁１４１上を走行できるようにしている。なお、車輪１５４を回転テーブル支持板１４側に装着して、回転テーブル１５が車輪１５４上を走行するようにしてもよい。
【００１４】
また、回転テーブル支持板１４の内壁１４２の一箇所に、粘着テープ１７を支持するための支持シャフト１７１が装着されている。粘着テープ１７は粘着テープ支持板１７２に支持され、粘着テープ支持板１７２に支持シャフト１７１が取付けられている。粘着テープ１７は、例えば、即席麺のカップに注湯する際、開口した蓋を閉じるために使用されるものであり、セロテープ（登録商標）やガムテープあるいは絶縁テープであってもよい。また、粘着テープ支持板１７２を外して支持シャフト１７１を、直接、粘着テープ１７に支持するようにしてもよい。
【００１５】
なお、柱部１３は、図３に示すように、回転テーブル支持板１４の内壁１４２及び外壁１４３を支持する一対の柱１３１、１３１間を連結する連結板１３２とで構成されているが、底壁１４１の幅方向にわたって形成される１枚の板状のものであってもよい。
【００１６】
さらに、底板１２には、給湯器３の外周面の位置を固定するためのＬ字状の位置決めガイド板１６が複数箇所に配置されている。
【００１７】
物品収納部２０は、矩形状のベース板２１と４隅の角部から立ち上がって先端を底板１２に連結する支柱２２とから構成されている。隣接する支柱２２、２２の間に空間部を有して、どの方向からでも内部に収納された物品を取出し、また取り入れることができるようにしている。なお、隣接する支柱２２、２２間に壁を装着してもよい。この場合、１箇所には開口部を設けて、物品の取り出しや取入れを行えるようにする。
【００１８】
物品収納部２０に収納される物品は、主に、やかんやバケツ等の湯または水の運搬用具あるいは給湯器３の頭部の給水口７に給水ホース２５を着脱するために用意する脚立である。
【００１９】
物品収納部２０の下面には、４個のキャスタ８が方向自在に装着されている。
【００２０】
給湯器３は、ガスバーナーを使用するものが使用され、自動温度調節器が装着されて、１日２４時間、常時使用できるように構成されている。実施形態においては、一般に知られているものを搭載しているものであるが、水を貯留できるタンク部を有して、ガスバーナーで加熱できるように構成されているものであれば特に規制するものではない。
【００２１】
給湯器３は、回転テーブル支持板１４を挿通して底板１２上に載置される。実施形態の給湯器３の場合、給湯器本体４の中央部付近には、複数の給湯コック５が外設され、１個の給湯コック５には水位計６が立設されている。これによって、水位が低くなったときに給湯器本体４の上部に配置された給水口７から水を供給する。給水口７に一端が接続される給水ホース２５は、他端が巻取りリール２６を介して水道の蛇口に接続される。湯沸かし器１が移動可能に構成されていることから、給水ホース２５は螺旋状に巻装されていることが望ましい。
【００２２】
一方、給湯器本体４内の下部にガスバーナー９が配置され、ガスバーナー９は、給湯器本体４に外設されたガスコントロール２７を介して、ガスホース２８によってガスボンベ２９に接続されている。ガスボンベ２９は、未使用時には、物品収納部２０に収納し、使用時に、湯沸かし器１の移動先においてガスホース２８を接続して使用する。
【００２３】
次に、上述のように構成された湯沸かし器１の使用説明をする。
【００２４】
湯沸かし器１は、使用しないときには、学校の倉庫や公園内の倉庫など避難場所あるいはその付近に設置するか、または災害備蓄倉庫があれば、その中に収納することが望ましい。
【００２５】
非常事態が発生した場合、湯沸かし器１を避難場所付近に設置されている水道付近に移動する。非常事態が発生して付近の住民が避難場所に避難してくると、給水ホース２５を水道の蛇口と給湯器３の給水口７に接続して、給水口７から水を供給する。次に、ガスボンベ２９を取り出して、ガスホース２８でガスボンベ２９とガスコントローラ２７とを接続する。ガスボンベ２９をガスコントローラ２７に２本接続させれば、１本のガスボンベ２９内のガスがなくなっても、２本目のガスボンベ２９を使用し、ガスがなくなったガスボンベ２９を新たに交換すれば予備とすることができる。これによって、連続的にガスを供給することができる。
【００２６】
給湯器３内の水が沸騰して注湯可能となれば、給湯コック５を開いて湯を注ぐ。この際、回転テーブル１５には、例えば、即席麺のカップや粉ミルクを入れた哺乳瓶等が並べられている。1個毎注湯した後、回転テーブル１５を回転テーブル支持板１４に対して回転させて、順に注湯する。これによって、避難してきた多くの住民に一時的な食糧を供給することができる。なお、即席麺のカップに注湯した後は、設置された粘着テープ１７で開口した蓋を閉じるように粘着する。
【００２７】
また、必要な場合には、バケツややかん等に注湯して湯を所定の場所に移動して使用する。
【００２８】
なお、実施形態の給湯器３では、仕様によって異なるが、約１５〜９０リットルの水を貯留でき、水位計６で所定の位置まで下がれば給水口７から給水する。これによって、湯沸かし器１（給湯器３）は、１日２４時間、常時作動させることができる。
【００２９】
上述のように、実施形態の湯沸かし器１によれば、１日２４時間作動できる給湯器３を備え、給湯器３を載設した湯沸かし器１を即座に所定の場所に移動して湯を沸かすことができる。したがって、非常時に避難してきた住民に飲食物を即座に供給することができる。
【００３０】
しかも、湯量が少なくなっても、水位計６で確認できるから、都度、水を追加すればいつでもお湯を使用することが可能となる。また、湯沸かし器１は移動式であるから、必要な場所にいつでも移動することができる。この際、水道の蛇口から離れる場所であっても螺旋状に巻いている給水ホース２５を延ばすことができる。
【００３１】
また、例えば、即席麺のカップや哺乳瓶を回転テーブル１５に載せることによって、回転テーブル１５を回転させれば連続的に注湯でき、避難してきた多くの住民に即座に供給することができる。したがって、この湯沸かし器１は災害時の非常事態に好適に活用することができる。
【００３２】
なお、本考案の移動式災害用湯沸かし器は、上述の形態に限定するものではない。例えば、給湯器を支持する架台１０に回転テーブル１５と物品収納部２０を備えているものであれば、架台１０の構成は上記の形態に限定することなく構成することができる。
【００３３】
回転テーブル１５は給湯器３の周りを回転できるものであれば、例えば、車輪１５４を回転テーブル１５の底壁１５１と回転テーブル支持板１４の底壁１４１に配置するものでなくても、回転テーブル１５の内壁１５２又は外壁１５３と回転テーブル支持板１４の内壁又は外壁１４２との間に配置させてもよい。
【００３４】
また、回転テーブル１５の底壁１４１の下方に、底壁１４１全周にわたって受け台を取り付けるようにすれば水切り用の孔１５１ａから落下する水を受けて、集水することができる。
【図面の簡単な説明】
【００３５】
【図１】本考案の移動式災害用湯沸かし器の一形態を示す全体斜視図である。
【図２】同正面断面図である。
【図３】図１における湯沸かし器の回転テーブルを示す一部断面図である。
【符号の説明】
【００３６】
１、湯沸かし器（移動式災害用湯沸かし器）
３、給湯器
４、給湯器本体
５、給湯コック
６、水位計
７、給水口
１０、架台
１１、給湯器支持部
１２、底板（給湯器支持板）
１４、回転テーブル支持板
１５、回転テーブル
１５１、底壁
１５１ａ、孔
１５４、車輪
１７、粘着テープ
２０、物品収納部
２５、給水ホース
【図１】
0003133254.tif 000003
【図２】
0003133254.tif 000004
【図３】
0003133254.tif 000005